(57)【要約】      （修正有）【課題】簡易な構造によって土のう袋の開口の口開きを防止して、中詰材の漏出防止効果が高い、耐圧土のう袋を提供する。【解決手段】有底筒状の袋体２０と、袋体２０の開口近くに取り付けられた口縛り紐３０とを有し、袋体２０は中詰材を収容する収容部２１と、巻折余長部２２とを有し、巻折余長部２２は多重に巻いて厚巻部を形成し得るだけの長さを有し、口縛り紐３０は厚巻部の真下の位置で厚巻部より小径に形成された首部に巻き付け可能な全長を有する。【選択図】図１
0003220309.tif 000002
【実用新案登録請求の範囲】
【請求項１】
内部に中詰材を封入して土のうを形成するための耐圧土のう袋であって、
有底筒状の袋体と、
前記袋体の開口近くに取り付けられた口縛り紐とを有し、
前記袋体は中詰材を収容する収容部と、
前記収容部の延長方向に形成され、端部に開口が形成された巻折余長部とを有し、
前記巻折余長部の一部に口縛りロープが付設され、
前記巻折余長部は多重に巻いて厚巻部を形成し得る長さを有し、
前記口縛り紐は厚巻部の真下の位置で厚巻部より小径に形成された首部に巻き付けて口縛り可能な全長を有することを特徴とする、
耐圧土のう袋。
【請求項２】
前記口縛り紐が開口の半周に亘って付設され、口縛り紐の両端部が袋体を構成する巻折余長部の両側から外方へのびていることを特徴とする、請求項１に記載の耐圧土のう袋。
【請求項３】
前記袋体が細長であることを特徴とする、請求項１または２に記載の耐圧土のう袋。
【請求項４】
前記袋体が布地シートで構成され、該布地シートの接合端部が縫合または接着により袋状に接合されていることを特徴とする、請求項１乃至３の何れか一項に記載の耐圧土のう袋。
【請求項５】
該布地シートの接合端部が拝み縫いにより接合されていることを特徴とする、請求項４に記載の耐圧土のう袋。
【考案の詳細な説明】
【技術分野】
【０００１】
本考案は中詰材の漏出防止効果の高い耐圧性に優れた耐圧土のう袋に関し、特に複数の土のうを横置きにして積み重ねて使用する法先補強工に好適な耐圧土のう袋に関する。
【背景技術】
【０００２】
道路や鉄道の路盤を支える既設盛土の耐震補強工のひとつとして、補強範囲を法先に限定した法先補強工が提案されている。
この工法は土のう袋に土砂等の中詰材を充填した枕型の土のうを使用し、補強範囲である法尻部を開削してできた空間域に複数の土のうを横置きしながら積み重ね、鉛直方向にプレロードまたはプレストレスをかけて一体化することで大型の土構造物を構築する。
このように法先補強工では、重力式の土構造物を構築して既設盛土の法先を補強することで、地震時における既設盛土の滑り破壊を抑止しようとするものである。
【０００３】
一般的な土のう袋はシート片の底辺と側辺の二辺を縫合して形成した袋本体と、袋本体の開口端に取り付けた口縛り紐とを有している。
袋本体の口の閉じ方としては、袋本体の開口端部の全周に亘って挿通したループ状の口縛り紐を引っ張って袋本体の口を絞り込む形式（特許文献１）と、袋本体の外部に取り付けた口縛り紐を袋本体に巻き付けて口を閉じる形式（特許文献２）が知られている。
【先行技術文献】
【特許文献】
【０００４】
【特許文献１】特開平９−３２４４２８号公報
【特許文献２】特開２０１５−２１４８７６号公報
【考案の概要】
【考案が解決しようとする課題】
【０００５】
従来の土のうはつぎの課題を内包している。
＜１＞従来の土のうは縦置きして使用することを前提としているために、袋本体の口を通じた中詰材の漏出防止対策が特に講じられていない。
そのため、法先補強工等のように、複数の土のうを横向きにして積み重ねると共に、鉛直方向へ向けた大きな載荷重が作用する環境下で使用すると、土のう袋の口から中詰材が漏出し易い。
＜２＞鉛直方向へ向けた大きな載荷重が作用する環境下で地震が生じると、土のうが過震されて土のう内の土圧（内圧）がさらに大きくなる。
そのため、口縛り紐が土のう袋の口元から滑り落ち、土のう袋の口が開いてしまう。
＜３＞以上のように法先補強工用に従来の土のうを横置きにして使用すると、中詰材が漏出する問題があり、その改善技術の提案が求められている。
【０００６】
本考案は以上の点に鑑みて成されたもので、その目的とするところはつぎの耐圧土のう袋を提供することにある。
＜１＞簡易な構造によって土のう袋の開口の口開きを防止して、中詰材の漏出防止効果を高めること。
＜２＞土のう袋の口縛り作業を簡単に行えること。
＜３＞既設盛土を対象とした法先補強工に使用可能なこと。
【課題を解決するための手段】
【０００７】
本考案に係る土のう用の耐圧土のう袋は、有底筒状の袋体と、袋体の開口近くに取り付けられた口縛り紐とを有する。
前記袋体は中詰材を収容する収容部と、収容部の延長方向に形成され、端部に開口が形成された巻折余長部とを有する。前記巻折余長部は多重に巻いて厚巻部を形成し得るだけの長さを有する。
前記巻折余長部の一部に付設された口縛りロープは厚巻部の真下の位置で厚巻部より小径に形成された首部に巻き付けて口縛り可能な全長を有する。
本考案の他の形態において、前記口縛り紐が開口の半周に亘って付設されていて、口縛り紐の両端部が袋体を構成する巻折余長部の両側から外方へのびている。
本考案の他の形態において、袋体は縦長であってもよい。
本考案の他の形態において、前記袋体は布地シートで構成され、該布地シートの接合端部が縫合または接着により袋状に接合されている。
縫合する場合には、布地シートの接合端部が拝み縫いにより接合することが望ましい。
【考案の効果】
【０００８】
本考案は少なくともつぎの一つ効果を奏する。
＜１＞袋体の収容部の延長方向に巻折余長部を形成することで、土のうを製作する際に、巻折余長部を多重に巻いて大径の厚巻部を形成し、厚巻部と中詰材が充填された袋体の収容部との間に形成された首部に口縛りロープを滑動不能に結び付けることができる。
したがって、簡易な構造によって土のう袋の開口の口開きを防止して、中詰材の漏出防止効果を高めることができる。
＜２＞土のうを製作する際に、巻折余長部を多重に巻いて大径の厚巻部を形成するだけで口縛りロープを取り付けできるので、土のう袋の口縛り作業を簡単に行うことができる。
＜３＞中詰材の漏出防止効果が高いので、複数の土のうを横置きして積み重ねて使用する既設盛土を対象とした法先補強工用の耐圧土のう袋として最適である。
【図面の簡単な説明】
【０００９】
【図１】本考案に係る耐圧土のう袋の全体斜視図
【図２】一部を破断した耐圧土のう袋に中詰材を充填して製作した土のうの斜視図
【図３】土のうの製作方法の説明図で、（Ａ）は耐圧土のう袋に中詰材を充填する工程の説明図、（Ｂ）は耐圧土のう袋の巻折余長部を巻き折する工程の説明図、（Ｃ）は耐圧土のう袋を口縛り紐で縛る工程の説明図
【考案を実施するための形態】
【００１０】
以下、図面を参照しながら本考案について詳細に説明する。
【００１１】
＜１＞耐圧土のう袋の構成（図１，２）
本考案に係る耐圧土のう袋１０は、可撓性と耐圧性を有するシート素材からなる有底筒状の袋体２０と、袋体２０の開口２３の近くに取り付けた口縛り紐３０とを有する。
袋体２０は中詰材４０を収容可能な収容部２１と、収容部２１を延長して形成された巻折余長部２２とを有する。
袋体２０を構成する収容部２１と巻折余長部２２は同一素材で同一幅に形成されていて、その内空は連続空間として形成されている。
【００１２】
＜１．１＞収容部
収容部２１は中詰材４０を充填するための部位であり、袋体２０のほぼ下半を指している。収容部２１の横幅と高さは中詰材４０の充填量に応じて適宜選択する。
【００１３】
＜１．２＞巻折余長部
巻折余長部２２は中詰材４０が充填されない袋体２０のほぼ上半の部位を指している。
巻折余長部２２は多重の巻き折りが可能な長さを有している。
本考案に係る耐圧土のう袋１０は、開口２３の口開きを確実に防止するために、収容部２１の上方に巻折余長部２２を形成したものである。
【００１４】
＜２＞袋体
袋体２０は耐圧性に優れた不透水性または透水性の布地シートからなる。
本例では方形を呈する布地シートを二つ折りし、重合させた両側辺を接合して縦長の筒体に形成し、筒体の下端開口を円形の底布シートで閉鎖して有底筒状の袋体２０を形成することができる。
【００１５】
布地シートの接合手段としては、縫合手段や接着手段を適用できる。
縫合手段を採用する場合は、布地シートの接合端部を折り返し、折返した二つの接合端部の間を高強度糸で縫合する拝み縫いを採用すると強固に接合することができる。
【００１６】
袋体２０の布地シートに織物を適用する場合は合成繊維、再生繊維及び半合成繊維、または天然繊維を適用できる。
合成繊維としては、例えばポリエステル繊維、ポリ塩化ビニル繊維、ポリ塩化ビニリデン繊維、モダアクリル繊維、アクリル繊維、ポリアミド繊維、ポリエチレン繊維、ポリスチレン繊維等を使用でき、経済性と強度を考慮すると、ポリエステル繊維やビニロン繊維が好適である。
天然繊維としては、例えば麻繊維、綿繊維、セルロース繊維等を使用できる。
【００１７】
袋体２０は織物以外に樹脂製シートで形成してもよい。
袋体２０の材質に制約は特にないが、想定される中詰材４０の最大内圧に耐え得る強度を有する布地シートであればよい。
【００１８】
＜３＞口縛り紐
巻折余長部２２の一部には開口２３を閉鎖するための口縛り紐３０が取り付けてある。
本例では口縛り紐３０が開口２３の半周に亘って取り付けてあり、口縛り紐３０の両端部が巻折余長部２２の両側から外方へのびている。
口縛り紐３０の全長は、袋体２０の首部２５に複数巻回できて、口縛りが可能な長さを有していればよい。
【００１９】
［土のうの製作方法］
図３を参照して土のう５０の製作方法について説明する。
【００２０】
＜１＞中詰材の充填（図３（Ａ））
開口２３を通じて耐圧土のう袋１０内に中詰材４０を投入し、収容部２１の高さまで中詰材４０を充填する。
中詰材４０としては公知の土砂、骨材、再生骨材等の粒状体を使用できる。
【００２１】
＜２＞厚巻部の形成（図３（Ｂ））
耐圧土のう袋１０の開口２３が閉じるように布地シートを重ね合せながら、巻折余長部２２を収容部２１の境界近くまで巻いていく。
巻折余長部２２の巻き方としては、例えば水平折曲線に沿って５〜１０ｃｍ程度の幅で何回か回巻き折りするか、或いはロール状に巻いていく。
耐圧土のう袋１０の水平横断方向に沿って巻折余長部２２を多重に巻くことで、厚巻部２４が形成される。
巻折余長部２２を巻く際、口縛り紐３０は厚巻部２４の左右両端から外方へのばしておく。
【００２２】
＜３＞厚巻部の折り曲げ（図３（Ｃ））
厚巻部２４の左右両側を手で持ち、互いに接近方向に折り曲げて厚巻部２４を団子状にする。袋体２０が可撓性の布地シート製であるため、厚巻部２４を団子状に折り曲げることに大きな折り曲げ力を要しない。
厚巻部２４を団子状に曲げることで、厚巻部２４の根元の布地シートが縮径方向に引き寄せられて首部２５が形成される。
この首部２５の径は団子状の厚巻部２４より小径の寸法関係にあり、団子状の厚巻部２４と首部２５の間に大きな段差が生じる。
【００２３】
＜４＞口縛り紐による口縛り（図３（Ｂ）（Ｃ））
厚巻部２４の両端からのびる口縛り紐３０をこの首部２５に複数回巻き付けた後に、口縛り紐３０の両端が解けないように結んで、土のう５０の製作を終了する。
【００２４】
＜５＞土のうの耐圧性について
従来の土のうは縮径方向に閉じた土のう袋の口元から先がフラットな構造であるために、土のう袋の口元に結んだ口縛り紐が滑り落ちし易かった。
これに対して、本考案では大径に膨らんだ収容部２１と団子状の厚巻部２４に間に形成された小径の首部２５に口縛り紐３０を結んだ構造となっている。
そのため、口縛り紐３０が首部２５で滑動しようとしても、団子状の厚巻部２４が口縛り紐３０の滑動を確実に規制する。
したがって、複数の土のう５０を横向きにして積み重ねて、鉛直方向へ向けた大きな載荷重が作用する環境下で使用しても、耐圧土のう袋１０の開口２３を通じた中詰材４０の漏出を確実に防止できる。
鉛直方向へ向けた大きな載荷重が作用する環境下で地震が生じても、口縛り紐３０が外れないので中詰材４０の漏出を規制できる。
また仮に土のう５０が高所から落下しても、口縛り紐３０を解いて外さないかぎり、耐圧土のう袋１０は口開きをしない。
【符号の説明】
【００２５】
１０・・・・・耐圧土のう袋
２０・・・・・袋体
２１・・・・・袋体の収容部
２２・・・・・袋体の巻折余長部
２３・・・・・開口
２４・・・・・厚巻部
２５・・・・・首部
３０・・・・・口縛り紐
４０・・・・・中詰材
５０・・・・・土のう
【図１】
0003220309.tif 000003
【図２】
0003220309.tif 000004
【図３】
0003220309.tif 000005
【手続補正書】
【提出日】平成30年12月18日(2018.12.18)
【手続補正１】
【補正対象書類名】実用新案登録請求の範囲
【補正対象項目名】請求項１
【補正方法】変更
【補正の内容】
【請求項１】
内部に中詰材を封入して土のうを形成するための耐圧土のう袋であって、
有底筒状の袋体と、
前記袋体の開口近くに取り付けられた口縛り紐とを有し、
前記袋体は中詰材を収容する収容部と、
前記収容部の延長方向に形成され、端部に開口が形成された巻折余長部とを有し、
前記巻折余長部の一部に口縛り紐が付設され、
前記巻折余長部は多重に巻いて厚巻部を形成し得る長さを有し、
前記口縛り紐は厚巻部の真下の位置で厚巻部より小径に形成された首部に巻き付けて口縛り可能な全長を有することを特徴とする、
耐圧土のう袋。
【手続補正２】
【補正対象書類名】明細書
【補正対象項目名】０００７
【補正方法】変更
【補正の内容】
【０００７】
本考案に係る土のう用の耐圧土のう袋は、有底筒状の袋体と、袋体の開口近くに取り付けられた口縛り紐とを有する。
前記袋体は中詰材を収容する収容部と、収容部の延長方向に形成され、端部に開口が形成された巻折余長部とを有する。前記巻折余長部は多重に巻いて厚巻部を形成し得るだけの長さを有する。
前記巻折余長部の一部に付設された口縛り紐は厚巻部の真下の位置で厚巻部より小径に形成された首部に巻き付けて口縛り可能な全長を有する。
本考案の他の形態において、前記口縛り紐が開口の半周に亘って付設されていて、口縛り紐の両端部が袋体を構成する巻折余長部の両側から外方へのびている。
本考案の他の形態において、袋体は縦長であってもよい。
本考案の他の形態において、前記袋体は布地シートで構成され、該布地シートの接合端部が縫合または接着により袋状に接合されている。
縫合する場合には、布地シートの接合端部が拝み縫いにより接合することが望ましい。
【手続補正３】
【補正対象書類名】明細書
【補正対象項目名】０００８
【補正方法】変更
【補正の内容】
【０００８】
本考案は少なくともつぎの一つ効果を奏する。
＜１＞袋体の収容部の延長方向に巻折余長部を形成することで、土のうを製作する際に、巻折余長部を多重に巻いて大径の厚巻部を形成し、厚巻部と中詰材が充填された袋体の収容部との間に形成された首部に口縛り紐を滑動不能に結び付けることができる。
したがって、簡易な構造によって土のう袋の開口の口開きを防止して、中詰材の漏出防止効果を高めることができる。
＜２＞土のうを製作する際に、巻折余長部を多重に巻いて大径の厚巻部を形成するだけで口縛り紐を取り付けできるので、土のう袋の口縛り作業を簡単に行うことができる。
＜３＞中詰材の漏出防止効果が高いので、複数の土のうを横置きして積み重ねて使用する既設盛土を対象とした法先補強工用の耐圧土のう袋として最適である。